(57)【要約】【課題】  本発明は、高さおよび角度の調節が可能なＴＶ受像機の位置制御装置に関する。この装置は、壁面１に、上下方向に長く設けられたフレーム１０と、このフレーム１０に沿って上下方向に移動できるように支持され、ＴＶ受像機２００が固定される移動ブロック２０と、この移動ブロック２０をフレーム１０に対して昇降させる昇降手段６００を備える。昇降手段６００はフレーム１０に、上下方向に長く、回転できるように支持され、移動ブロック２０がネジ止めされるスクリュー軸１１と、スクリュー軸１１と並行してフレーム１０に支持され、移動ブロック２０がスライディングできるように結合されるガイド棒１２、１３と、スクリュー軸１１を回転駆動させる駆動モーター４００を備える構造を有する。【解決手段】 駆動モーター４００は、フレーム１０の上下部末端に近接センサー（図示されていない）が設置されており、移動ブロック２０がフレーム１０の上下部末端から一定距離に近づくと、それ以上移動しなくなる。また、リモートコントローラー３１０によっても遠隔制御される。また、角度調整手段３５０により、移動ブロック２０に対してＴＶ受像機２００の角度が調整できるようになっている。この装置は、遠隔制御できる駆動モーターにより、ＴＶ受像機を視聴者が望む高さに調整することが可能で、最適な角度にＴＶ受像機を調整することが出来る。
2006509419.tif 000002
【特許請求の範囲】
【請求項１】
壁面に上下方向に長く設けられるフレームと、前記フレームに沿って上下方向に移動できるように支持されていて、ＴＶ受像機が固定される移動ブロックと、前記移動ブロックを前記フレームに対して昇降させる昇降手段を備えていること、を特徴とするＴＶ受像機の位置制御装置。
【請求項２】
前記昇降手段は、前記フレームに、上下方向に長く、回転できるように支持されており、前記移動ブロックがネジ止めされるスクリュー軸と、前記スクリュー軸と並行して前記フレームに支持され、前記移動ブロックがスライディングできるように結合されるガイド棒と、前記スクリュー軸を回転駆動させる駆動モーターを備え、前記駆動モーターの正逆回転駆動によって前記移動ブロックが昇降されること、を特徴とする請求項１に記載のＴＶ受像機の位置制御装置。
【請求項３】
前記昇降手段は、前記フレームに、その長さ方向に沿ってガイド長孔に形成され、前記フレームに、上下方向に長く、回転できるように支持されており、前記移動ブロックがネジ止めされるスクリュー軸と、前記移動ブロックに回転できるように結合され、前記ガイド長孔に回転移動できるように結合されるガイドローラーと、前記スクリュー軸を回転駆動させる駆動モーターを備え、前記駆動モーターの正逆回転駆動によって前記移動ブロックが昇降されること、を特徴とする請求項１記載のＴＶ受像機の位置制御装置。
【請求項４】
前記昇降手段は、前記フレームに、その長さ方向に沿ってガイド長孔が形成され、前記フレームの上下部側に、各々回転できるように設けられている第一および第二回転体と、前記第一および第二回転体に無限軌道で巻き回され、前記移動ブロックが固定される軌道体と、前記第一および第二回転体を回転駆動させて軌道体を上下に回転移動させる駆動モーターを備え、前記駆動モーターの正逆回転駆動によって、前記移動ブロックが昇降されるようになること、を特徴とする請求項１記載のＴＶ受像機の位置制御装置。
【請求項５】
前記移動ブロックに対して、前記ＴＶ受像機の角度を調整する角度著旺盛手段が更に備えられること、を特徴とする請求項１ないしは請求項４のいずれか記載のＴＶ受像機の位置制御装置。
【請求項６】
前記角度調整手段は、前記ＴＶ受像機の後面下側部と、これに対応する前記移動ブロックの下側部は、相互に回転できるように連結され、前記移動ブロックの上側部に回転モーターによって回転駆動され、端部に垂直突起部が形成された回転中心体と、一端が前記垂直突起部の端部と回転できるように結合されたリンク部材と、一端が前記リンク部材の他端に回転できるように連結され、他端が前記ＴＶ受像機の上側部に固定されたレバー部材を備えていること、を特徴とする請求項５記載のＴＶ受像機の位置制御装置。
【請求項７】
前記駆動モーターおよび回転モーターを遠隔制御するためのリモートコントローラーを備えていること、を特徴とする請求項６記載のＴＶ受像機の位置制御装置。
【請求項８】
前記角度調整手段は、リニアモーターであること、を特徴とする請求項５記載のＴＶ受像機の位置制御装置。
【請求項９】
前記回転体および前記リンク部材は、円盤クランク軸から構成されること、を特徴とする請求項６記載のＴＶ受像機の位置制御装置。
【発明の詳細な説明】
【技術分野】
【０００１】
本発明はＴＶ受像機の位置制御装置に関する。特に本発明は受像機を上下に移動させて高低を調節できるようにし、回動可能にして視聴者が快適な状態で視聴できるようにしたＴＶ受像機の位置制御装置に関する。
【背景技術】
【０００２】
近年、ＴＶ受像機は高機能化し、既存の単純なモデルに特殊な機能を加えたというよりも、特殊な機能を有した製品として開発されている。特に消費者らは、より快適にＴＶを見て、より臨場感のある音響が体感できることを希望している。
【０００３】
従って、前記のような消費者らの欲求を満たすことの出来る機能が開発されている。又、テレビはブラウン管を有するＣＲＴタイプと薄膜で形成されたＰＤＰタイプに分類される。近年では小型で、設置場所を選ばないＰＤＰタイプが次世代型テレビとして脚光を浴びている。
【０００４】
スタンド型ＰＤＰテレビは既存のＣＲＴテレビのようにテーブルなどに配置しなければならないので、空間の活用度が効率的でなく、最近は主に壁掛け型のＰＤＰテレビが多く出荷されている。
【０００５】
図１に示されるように、従来のＰＤＰテレビは壁面１に固定設置され、複数個の固定溝１１３が形成された角度調節部１１２を備え、下端に挿入溝１１４が形成された固定ブラケット１１０と、一方の側面にＰＤＰテレビが取り付けられ、下端が前記固定ブラケット１１０の挿入溝１１４に挿入される回転ブラケット１２０と、一方の先端は前記回転ブラケット１２０にヒンジ連結され、他方の先端は前記固定ブラケット１１０の角度調節部１１２に挿入されるリンク部材１３０から成っている。
【０００６】
従って、固定ブラケット１１０を壁に固定設置し、ＰＤＰテレビを回転ブラケット１２０に取り付け，固定した状態で，固定ブラケット１１０の下端挿入溝１１４に回転ブラケット１２０を挿入し、回転ブラケット１２０に連結されたリンク部材１３０一方の先端を前記固定ブラケット１１０の固定溝１１３に挿入することでＰＤＰテレビが壁で角度調節できるようになっている。
【０００７】
しかし、前記のような装置はテレビの角度調整のためには視聴者が直接手作業で希望する角度に調整しなければならないため煩わしい。
【０００８】
更に、固定ブラケット１１０が壁に固定設置されることでテレビの高さを調節して視聴することが出来ない。
【発明の開示】
【発明が解決しようとする課題】
【０００９】
本発明は、前記のような問題点を解決するために案出されたものであって、視聴者が希望する高さにテレビ受像機を調節して使用できるようにしたＴＶ受像機の位置制御装置を提供することにある。
【００１０】
本発明の更に他の目的は、ＴＶ受像機を希望する高さおよび角度に遠隔から調整出来るようにしたＴＶ受像機の位置制御装置を提供することにある。
【課題を解決するための手段】
【００１１】
前記の目的を達成するため、本発明のＴＶ受像機の位置制御装置は壁面に、上下方向に、長く設けられるフレームと、前記フレームに沿って上下方向に移動できるように支持され、ＴＶ受像機が固定される移動ブロックと、前記移動ブロックを前記フレームに対して昇降させる昇降手段を備えることを特徴とする。
【００１２】
前記昇降手段は、前記フレームに上下方向に回転できるように支持され、前記移動ブロックがネジ止めされるスクリュー軸と、前記スクリュー軸とが並べて前記フレームに支持され、前記移動ブロックが移動できるように結合されるガイド棒と、前記スクリュー軸を回転駆動させる駆動モーターを備えており、前記駆動モーターの正逆回転駆動により前記移動ブロックが昇降されるようになった構造を有する。
【００１３】
前記昇降手段の他の例は、前記フレームにその長さ方向に沿ってガイド長孔が形成され、前記フレームに上下方向に回転できるように支持され、前記移動ブロックがネジ止めされるスクリュー軸と、前記移動ブロックに回転できるように結合され、前記ガイド長孔に回転移動できるように結合されるガイドローラーと、前記スクリュー軸を回転駆動させる駆動モーターを備えて、前記駆動モーターの正逆回転駆動によって前記移動ブロックが昇降されるようになった構造を有する。
【００１４】
前記昇降手段の更に他の例としては、前記フレームにその長さ方向に沿ってガイド長孔が形成され、前記フレームの上下部側に各々回転できるように設けられる第一および第二回転体と、前記第一及び第二回転体に無限軌道で巻き回され、前記移動ブロックが固定される軌道体と、前記第一及び第二回転体を回転駆動させて軌道体を上下に回転移動させる駆動モーターを備え、前記駆動モーターの正逆回転駆動によって、前記移動ブロックが昇降されるようになった構造を有する。
【００１５】
また、本発明の装置は前記移動ブロックに対して前記ＴＶ受像機の角度を調整する角度調整手段が更に備えられた構造を有する。
【００１６】
前記角度調整手段は前記ＴＶ受像機の後部下側部と、これに対応する前記移動ブロックの下側部は相互回転できるように連結され、前記移動ブロックの上側部に回転モーターによって回転駆動され、端部に垂直突起部が形成された回転中心体と、一端が前記垂直突起部の端部と回転できるように結合されたリンク部材と、一端が前記リンク部材の他端に回転できるように連結され、他端が前記ＴＶ受像機の上側部に固定されたレバー部材を備えている構造を有する。
【００１７】
また、本発明の装置は、駆動モーターおよび回転モーターを遠隔制御するリモートコントローラーを更に備える。
【００１８】
前記本発明の特徴によれば、本発明のＴＶ受像機の位置制御装置は昇降手段と角度調節手段によって視聴者が希望する目の高さにＴＶ受像機を昇降させ、視聴者の視聴姿勢によってＴＶ受像機の角度を調節できるようにする。
【発明を実施するための最良の形態】
【００１９】
以下、添付された図面を参照しつつ本発明による好ましい実施形態を、より詳細に説明する。
【００２０】
本発明のＴＶ受像機の位置制御装置は視聴者が視聴姿勢によってＴＶ受像機を視聴者の目の高さに合うように希望する高さに移動させることができ、また角度を調節して適当な角度で視聴することが出来る。
【００２１】
このようなＴＶ受像機の位置制御装置の一例は、詳細に図２から図６に示されている。本装置は壁面１に上下方向に長く設けられたフレーム１０と、このフレーム１０に沿って上下方向に移動できるように支持され、ＴＶ受像機２００が固定される移動ブロック２０と、この移動ブロック２０を前記フレーム１０に対して昇降させる昇降手段６００を備える。
【００２２】
前記昇降手段６００（図６参照）は前記フレーム１０に、上下方向に昇降できるように支持され、前記移動ブロック２０がネジ止めされるスクリュー軸１１と並べて前記フレームに支持され、前記移動ブロック２０が移動できるように結合されるガイド棒１２、１３と前記スクリュー軸１１を回転駆動させる駆動モーター４００を備える構造を有する。
【００２３】
前記駆動モーター４００には減速器４１０が採用されており、適正な速度でスクリュー軸１１が回転する。
【００２４】
このような昇降手段６００は前記駆動モーター４００の正逆回転駆動により、前記移動ブロック２０がガイド棒１２、１３およびスクリュー軸１１に沿って昇降する。
【００２５】
この際、駆動モーター４００はフレーム１０の上下部の末端に近接センサー（図示していない）が設置されており、移動ブロック２０がフレーム１０の上下部末端に近づくと、近接センサーが作動し、それ以上駆動されなくなる。また、リモートコントローラー３１０によっても遠隔制御される。従って、視聴者３００が視聴する位置で希望する高さにＴＶ受像機の高低を制御することができる。
【００２６】
また，本発明の実施例の装置には、前記移動ブロック２０に対して、ＴＶ受像機２００の角度を調整する角度調整手段３５０が備えられている。これに対する角度調整手段３５０が図４ａに示されている。図４ｂは更に他の角度調整手段３５１を示しており、図４ａに示されている回転中心体３０、垂直突起部３１およびリンク部材３２の代わりに円盤クランク軸で構成され、回転モーター５００が正逆回転しなくても３６０度回転することにより、ＴＶ受像機２００の視聴角度を調整することができる。図４ｃは更に他の角度調整手段３５２を示し、回転モーター５００の代わりに直線駆動されるリニアモーターを採用したものである。このリニアモーターを採用することで図４ａに示されている回転中心体３０、垂直突起部３１、リンク部材３２を装着しなくてもＴＶ受像機２００の視聴角度の調整ができる。
【００２７】
図３、図４ａ〜図４ｃ、図５ａ、図５ｂを参照すると、前記角度調整手段３５０、３５１、３５２が示されており、これら角度調整手段の内、便宜的に図４ａの角度調整手段３５０に対して詳細に説明する。
【００２８】
前記ＴＶ受像機２００の後面下側部と、これに対応する前記移動ブロック２０の下側部は相互ヒンジ片２１、２０１を結合することにより回転できるように連結されており、前記移動ブロック２０の上側部に回転モーター５００によって回転駆動され、端部に垂直突起部３１が形成された回転中心体３０と、一端が前記リンク部材３２の他端に回転できるように連結されており、他端が前記ＴＶ受像機２００の上側部に固定されたレバー部材３３と、を備えた構造を有する。
【００２９】
このような角度調整手段３５０は、図５ａおよび図５ｂに示されたように、回転モーター５００の正逆方向駆動によって前記回転中心体３０、リンク部材３２およびレバー部材３３などの関節作用によってヒンジ片２０１、２１を中心に回転できるようにする。同様に、この回転モーター５００は発光センサーを採用するリモートコントローラー３１０によって遠隔制御される。従って、視聴者３００が視聴位置で希望する角度にＴＶ受像機２００を調整することができる。
【００３０】
本実施例で、角度調整手段は、ＴＶ受像機２００の視聴角度を上下の角度調整についてのみ示したが、これに限定されることなく、技術に精通した者ならばＴＶ受像機の視聴角度を左右の角度調整に対しても応用可能であることは容易に理解できる。
【００３１】
このような実施例は、駆動モーター４００および回転モーター５００をリモートコントローラー３１０の遠隔制御によって正逆駆動させることで、ＴＶ受像機２００の高さおよび角度を制御できる。
【００３２】
図７および図８を参照すれば、昇降手段の更に他の実施例が示されており、昇降手段７００、８００はフレーム１０の上面に、その長さ方向に沿ってガイド長孔１４、１５が形成され、前記フレーム１０に上下方向に回転できるように支持されており、移動ブロック２０ａ、２０ｂがネジ止めされるスクリュー軸１１と、前記移動ブロック２０ａ、２０ｂに回転できるように結合され、前記ガイド長孔１４、１５に回転移動できるように結合されているガイドローラー１６と、前記スクリュー軸１１を回転駆動させる駆動モーター４００を備える。
【００３３】
前記移動ブロック２０ａ、２０ｂはスクリュー軸１１に結合される移動ブロック２０ａと前記ＴＶ受像機２００が設置されている移動ブロック２０ｂから成る。また、前記駆動モーター４００には減速器４１０が採用されており、適切な速度でスクリュー軸１１が回転する。
【００３４】
昇降手段７００、８００は、ガイド長孔１４、１５に沿って移動するガイドローラー１６によって移動ブロック２０の昇降動作をより円滑にする。
【００３５】
また、この実施例では、前記実施例と同様に移動ブロック２０に対して、ＴＶ受像機２００の角度を調整できるように構成することができる。この場合、構成は前記実施例と同一であるので詳細な説明は省略する。また、駆動モーター４００および回転モーター５００はフレーム１０の上下部末端に近接センサー（図示されていない）が設置されており、移動ブロック２０がフレーム１０の上下部末端に近づくと近接センサーが作動して、それ以上移動しなくなる。また、リモートコントローラー３１０によっても遠隔制御できる。
【００３６】
図９を参照すると、昇降手段の更に他の実施例が図示されており、昇降手段９００はフレーム１０に、その長さ方向に沿ってガイド長孔１４、１５が形成され、前記フレーム１０の上下部側に各々回転できるように設けられている第一および第二回転体１７、１８と、前記第一および第二回転体１７、１８に無限軌道で巻き回され、前記移動ブロック２０が固定される軌道体１９ａ、１９ｂを上下に回転移動させる駆動モーター４００を備える。
【００３７】
前記第一および第二回転体１７、１８はチェーンスプロケット（ｃｈａｉｎ  ｓｐｒｏｃｋｅｔ）でも良く、前記軌道体１９ａ、１９ｂはチェーンであっても良い。また、前記第一および第二回転体１７、１８はプリ（ｐｕｌｌｅｙ）でも良く、前記軌道体１９ａ、１９ｂはロープであっても良い。
【００３８】
昇降手段９００は、チェーンまたはロープから成る軌道体１９ａ、１９ｂに移動ブロック２０が固定された前記駆動モーター４００および減速器４１０による軌道体１９ａ、１９ｂの上下移動に伴って移動する。
【００３９】
本実施例でも同様に、移動ブロック２０に対してＴＶ受像機２００の角度を調整できるような構成が可能である。この場合、構成は前記実施例と同一であるので詳細な説明は省略する。また、駆動モーター４００および回転モーター５００はフレーム１０の上下部末端に近接センサー（図示されていない）が設置されており、移動ブロック２０がフレーム１０の上下部末端に近づくと近接センサーが作動して、それ以上移動しなくなる。また、リモートコントローラー３１０によっても遠隔制御される。
【００４０】
上述したように、本発明のＴＶ受像機２００の位置制御装置は、前記実施例に限定されず、本発明の精神と範囲を逸脱することなく、多くの変更を加えて実施できることは言うまでもない。例えば、前記角度調整手段として、回転モーターによる関節作用でＴＶ受像機の回転を実行するような構成を代表として例示したが、移動ブロックにシリンダーを固定し、そのシリンダーロード端部にＴＶ受像機を連結したシリンダーの作動でＴＶ受像機が回転できるようにすることも可能である。
【産業上の利用可能性】
【００４１】
上述したような本発明は、遠隔制御可能な駆動モーターによりＴＶ受像機を視聴者が希望する高さに調整して視聴できるようにすることが可能である。
【００４２】
また、視聴者が視聴するのに快適なようにＴＶ受像機の角度を調整することができる。
【図面の簡単な説明】
【００４３】
本発明の目的と利点は、いかに添付した図と詳細な説明から、より明瞭に理解できるであろう。
【図１】従来のＴＶ受像機の角度を調節するための構造を示した概略図である。
【図２】本発明のＴＶ受像機の位置制御装置が設置された室内を示した概略図である。
【図３】ＴＶ受像機と移動ブロックの連結関係を説明するための概略図である。
【図４ａ】角度調整部３５０を抜粋して示した斜視図である。
【図４ｂ】角度調整部３５１を抜粋して示した斜視図である。
【図４ｃ】角度調整部３５２を抜粋して示した斜視図である。
【図５ａ】ＴＶ受像機２００の角度調節状態を示した動作図である。
【図５ｂ】ＴＶ受像機２００の角度調節状態を示した動作図である。
【図６】昇降手段６００の一実施例を示した概略図である。
【図７】昇降手段７００の他の実施例を示した概略図である。
【図８】昇降手段８００の他の実施例を示した概略図である。
【図９】昇降手段９００の更に他の実施例を示した概略図である。
【符号の説明】
【００４４】
１  壁面
１０    フレーム
１１    スクリュー軸
１２    ガイド棒
１３    ガイド棒
１４ ガイド長孔
１５ ガイド長孔
１７ 第一回転体
１８ 第二回転体
１９ 軌道体
２０    移動ブロック
２１ ヒンジ片
３０ 回転中心体
３１ 垂直突起部
３２ リンク部材
３３ レバー部材
２００ ＴＶ受像機
２０１ ヒンジ片
３００ 視聴者
３１０ リモートコントローラー
３５０ 角度調整手段
３５１ 角度調整手段
３５２ 角度調整手段
４００ 駆動モーター
４１０ 減速器
５００ 回転モーター
６００ 昇降手段
７００ 昇降手段
８００ 昇降手段
９００ 昇降手段
【図１】
2006509419.tif 000003
【図２】
2006509419.tif 000004
【図３】
2006509419.tif 000005
2006509419.tif 000006
2006509419.tif 000007
2006509419.tif 000008
【図６】
2006509419.tif 000009
【図７】
2006509419.tif 000010
【図８】
2006509419.tif 000011
【図９】
2006509419.tif 000012
【国際調査報告】
2006509419.tif 000013
2006509419.tif 000014